(57)【要約】      （修正有）【課題】締結部材を導電片に締結することにより二次電池を直列させて電池パックを作る際、導電端子と締結部材を締結する時に硬さの違いによりねじ部が破損したり、導電片がはずれて二次電池パックの抵抗値が上昇したりする事態を回避できる、二次電池エンドキャップセットを提供する。【解決手段】二次電池の外装体上に設置される二次電池エンドキャップセット１は外装体の一端に設置されるシール板１０を含み、シール板上には２つの端子ユニット３０をそれぞれ設置するため複数の貫通孔を設け、各端子ユニットは貫通孔中に貫設する導電端子３２を含む。シール板の導電端子が突出する片側には取り付け部３２２を設け、取り付け部には雌ねじ部を内側に有する固定素子３６を少なくとも１つ設け、雄ねじ部を有する締結部材は取り付け部を貫通して固定素子の雌ねじ部中に締結される。固定素子と締結部材の材質は同じである。【選択図】図３
0003191250.tif 000002
【実用新案登録請求の範囲】
【請求項１】
二次電池の外装体上に設けられる二次電池エンドキャップセットであって、
前記外装体の一端に設置され、複数の貫通孔を有するシール板と、
前記貫通孔中にそれぞれ設置される少なくとも２つの端子ユニットを含み、
前記端子ユニットは、
前記貫通孔中に貫設される導電端子であって、前記シール板の前記導電端子が突出する片側には取り付け部を設け、前記取り付け部に少なくとも１つの固定素子を設け、前記固定素子の内側には雌ねじ部を設ける、導電端子と、
雄ねじ部を設け、前記取り付け部を貫通して前記固定素子の前記雌ねじ部に締結固定される少なくとも１つの締結部材と、を含む、
二次電池エンドキャップセット。
【請求項２】
前記固定素子の材質はステンレス鋼である、請求項１に記載の二次電池エンドキャップセット。
【請求項３】
前記締結部材の材質はステンレス鋼である、請求項２に記載の二次電池エンドキャップセット。
【請求項４】
前記固定素子はナットである、請求項１に記載の二次電池エンドキャップセット。
【請求項５】
前記シール板と前記導電端子を被覆し、前記導電端子の両端を露出させることで、前記導電端子を前記シール板上に固定する絶縁膜をさらに含む、請求項１に記載の二次電池エンドキャップセット。
【請求項６】
前記シール板の側辺には装設部をさらに環設し、前記装設部は前記絶縁膜の外側に露出する、請求項５に記載の二次電池エンドキャップセット。
【請求項７】
前記絶縁膜の材質は絶縁ゴムである、請求項５に記載の二次電池エンドキャップセット。
【請求項８】
前記取り付け部は前記導電端子上で屈曲する、請求項１に記載の二次電池エンドキャップセット。
【請求項９】
前記取り付け部下方に位置する固定ベースをさらに含み、前記固定ベース上には少なくとも１つの固定素子固定溝を設けて前記固定素子を収容する、請求項８に記載の二次電池エンドキャップセット。
【請求項１０】
前記シール板の材質は金属材質である、請求項１に記載の二次電池エンドキャップセット。
【請求項１１】
前記シール板には、前記貫通孔中に貫設されて前記二次電池内部の圧力を抜くためのエアベントバルブをさらに設ける、請求項１に記載の二次電池エンドキャップセット。
【考案の詳細な説明】
【技術分野】
【０００１】
本考案は電池エンドキャップセットに関するものであって、特に、導電端子に高硬度の締結素子を有する二次電池エンドキャップセットに関するものである。
【背景技術】
【０００２】
電池の動力がより大きくなるようにするため、複数の二次電池を直列する必要がある。複数の二次電池を直列する時は、導電片を利用して複数の二次電池の導電端子を接続することで、複数の二次電池を直列して１つの電池パックにする。
【０００３】
電池パックは図１に示すように、締結部材７２を用いて導電片７４に貫設した後、導電片７４を導電端子７０上に締結固定することで、導電端子７０が順次電気的に直列接続される。
しかし、導電端子７０は通常銅またはアルミニウム等の導電性が比較的高い金属材質を利用して作られており、締結部材７２には通常ステンレス鋼の材質が用いられており、銅またはアルミニウムの高度はステンレス鋼よりも低いので、電池パックを分解する必要がある場合、長期間締結が繰り返されると、締結部材７２の強い接触により導電端子７０の内部のねじ部が破損する可能性がある。
【０００４】
また、締結部材７２と導電端子７０の材質は異なるため、熱膨張係数も異なり、電池が作動している時に温度がより高くなり、熱膨張係数が異なると、締結部材７２と導電端子７０は変形してゆるんで外れやすくなり、それに応じて導電片も外れ、電池パックの抵抗値が高くなるため、電池温度も上昇して過熱等の危険な状態になる恐れがある。
【考案の概要】
【考案が解決しようとする課題】
【０００５】
そこで本考案は、上述した従来技術の欠点について、上述の問題を克服するのに有効な、二次電池エンドキャップセットを提案する。
【０００６】
本考案の主な目的は、材質が異なる導電端子と締結部材を締結した場合に起こる材質の硬さの違いが原因でねじ部が破損するという事態を回避でき、かつ、熱膨張係数が異なるために変形して導電片がゆるんで外れ二次電池パックの抵抗値が上がり、電池温度が上昇して過熱等の危険な状態になることも回避できる、二次電池エンドキャップセットを提供することである。
【０００７】
本考案のもう１つの目的は、構造がシンプルであり、製作コストが低く、生産効率が高く、組み立てが迅速で容易な二次電池エンドキャップセットを提供することである。
【課題を解決するための手段】
【０００８】
上述の目的を達成するため、本考案の二次電池エンドキャップセットは、二次電池の外装体上に設置され、二次電池エンドキャップセットは、外装体の一端に設置されるシール板を含み、シール板上には２つの端子ユニットをそれぞれ設置するための複数の貫通孔を有し、各端子ユニットは前記貫通孔中に貫設する導電端子を含み、シール板の導電端子が突出する片側には取り付け部を設け、取り付け部には雌ねじ部を内側に有する固定素子を少なくとも１つ設け、雄ねじ部を有する締結部材が前記取り付け部を貫通して固定素子の雌ねじ部中に締結される。
【考案の効果】
【０００９】
本考案によれば、材質が異なる導電端子と締結部材を締結した場合に起こる材質の硬さの違いが原因でねじ部が破損するという事態を回避でき、あるいは、熱膨張係数が異なるために変形して導電片がゆるんで外れ、二次電池パックの抵抗値が上がり、電池温度が上昇して過熱等の危険な状態になることが回避できる。
また、本考案は、構造がシンプルであり、製作コストが低く、生産効率が高く、組み立てが迅速で容易である。
【図面の簡単な説明】
【００１０】
【図１】従来の二次電池パックを示す斜視図。
【図２】二次電池に設置された本考案を示す斜視図。
【図３】本考案の斜視図。
【図４】本考案の素子分解図。
【図５】本考案を利用した二次電池パックの斜視図。
【考案を実施するための形態】
【００１１】
本考案の構造の特徴と達成される効果のさらなる理解と認識のため、以下に図面を参照しながら好ましい実施例について説明する。
【実施例】
【００１２】
図２から図４を参照されたい。図が示すように、本考案の二次電池エンドキャップセット１は、二次電池の外装体５０の一端に設置されるものであり、二次電池エンドキャップセット１は金属材質のシール板１０と２組の端子ユニット３０を含む。シール板１０上には複数の貫通孔１２を有しエアベントバルブ２０と２つの端子ユニット３０がそれぞれ設置される。各端子ユニット３０は導電端子３２と締結部材３８を含む。
導電端子３２は貫通孔１２中に貫設され、二次電池の外装体５０中の電池セル（図中未表示）と接続し、電池セルは導電端子３２にそれぞれ接続して、正極・負極の導電端子３２となる。シール板１０の導電端子３２が突出する片側には取り付け部３２２を設け、取り付け部３２２は導電端子３２上で屈曲し、取り付け部３２２下方には固定ベース３４を設け、固定ベース３４中には固定素子３６を収容する固定素子固定溝３４２を少なくとも１つ設け、固定素子３６の内側には雌ねじ部３６２を設ける。
本実施例で例示する固定素子３６はナットである。締結部材３８には雄ねじ部３８２を設け、締結部材３８は取り付け部３２２を貫通して固定素子３６の雌ねじ部３６２中に締結固定される。
【００１３】
固定素子３６と締結部材３８の材質はいずれもステンレス鋼または硬度が同じ硬質金属であるため、締結部材３８と固定素子３６を締結する際に、材質の硬度が異なるが原因でねじ部が破損するという事態や、異なる熱膨張係数により固定素子３６と締結部材３８がゆるんで外れたり変形したりする事態は起こらない。
【００１４】
固定素子３６は導電端子３２上に固定されるので、導電端子３２には導電効率が比較的高い銅またはアルミニウムを使用でき、このような材質を使用しても本考案の固定素子３６は正常に導電し、固定素子３６を増やしても全体の導電効率が低下することはない。
【００１５】
上述の二次電池エンドキャップセット１中の導電端子３２およびエアベントバルブ２０はいずれも絶縁膜４０によりシール板１０上に固定される。絶縁膜４０の材質には絶縁ゴムを用いることができ、絶縁膜４０はシール板１０上を被覆し、かつ導電端子３２とエアベントバルブ２０も被覆することで、導電端子３２とエアベントバルブ２０をシール板１０上に固定する。
導電端子３２とエアベントバルブ２０の両端はシール板１０から露出し、シール板１０の側辺には装設部１４を環設し、装設部１４は絶縁膜４０の外側に露出する。はんだ付けやレーザー溶接またはその他方式を利用して、シール板１０は装設部１４により外装体５０に取り付けられる。
【００１６】
続いて図４と図５を参照されたい。これらの図は、本実施例の二次電池エンドキャップセット１がどのように締結部材３８および固定素子３６を用いて導電片６０を導電端子３２上に固定し、導電片６０により複数の二次電池を直列して電池パックを形成するかを説明するものである。
図が示すように本実施例で例示された電池パックは３個の二次電池を有し、それぞれ第一二時電池８０、第二二次電池８１、第三二次電池８２とする。第一二時電池８０の正極と第二二次電池８１の負極は導電片６０により接続され、第二二次電池８１の正極は導電片６０により第三二次電池８２の負極に接続され、複数の導電片６０を利用して複数の二次電池を直列して１つの電池パックが形成され、より大きな電池動力がもたらされる。
【００１７】
ここでの固定素子３６と締結部材３８はいずれも同じ硬度の硬質金属であるため、締結部材３８と固定素子３６を締結する場合、異なる材質の硬度が原因で締結部材３８と固定素子３６の締結時にねじ部が破損するということはなく、熱膨張係数が異なるために固定素子３６と締結部材３８がゆるんで外れたり変形したりして、導電片６０がはずれて電池パックの抵抗値が上がり、電池温度が上昇して過熱等の危険な状態になるといった事態も回避できる。
【００１８】
上述の記載は本考案の好ましい実施例の説明に過ぎず、本考案の実施範囲を限定するものではない。したがって、本考案の実用新案登録請求の範囲で述べられた特徴および精神に基づき加えられた各種の変更や潤色はすべて、本考案の実用新案登録請求の範囲内に含まれる。
【符号の説明】
【００１９】
１      二次電池エンドキャップセット
１０    シール板
１２    貫通孔
１４    装設部
２０    エアベントバルブ
３０    端子ユニット
３２    導電端子
３２２  取り付け部
３４    固定ベース
３４２  固定溝
３６    固定素子
３６２  雌ねじ部
３８    締結部材
３８２  雄ねじ部
４０    絶縁膜
５０    外装体
６０    導電片  
７０    導電端子
７２    締結部材
７４    導電片  
８０    第一二次電池
８１    第二二次電池
８２    第三二次電池    
【図１】
0003191250.tif 000003
【図２】
0003191250.tif 000004
【図３】
0003191250.tif 000005
【図４】
0003191250.tif 000006
【図５】
0003191250.tif 000007